(57)【要約】【課題】ショッピングが容易な情報処理装置、情報処理方法、及びプログラムを提供する。【解決手段】ユーザに紐付けられたキーワードに関連する情報を蓄積し、属性情報を有するコンテンツと、ユーザに紐付けられたキーワードに関連する情報とを表示し、コンテンツを表示中に所定の操作を行うと、識別されたユーザに紐付けられたキーワードのうち表示されていたコンテンツの属性情報に最も合致するキーワードに関連するものとして蓄積された情報を表示画面に一覧表示させる。【選択図】図６
2015154247.tif 000002
【特許請求の範囲】
【請求項１】
ユーザに紐付けられたキーワードに関連する情報を蓄積する情報蓄積手段と、
属性情報を有するコンテンツと前記情報蓄積手段に蓄積された情報とを表示可能な表示手段と、
前記表示手段に対面するユーザを識別するユーザ識別手段と、
前記表示手段が前記コンテンツを表示中に所定の操作を行うと、識別されたユーザに紐付けられたキーワードのうち表示されていた前記コンテンツの属性情報に最も合致するキーワードに関連するものとして蓄積された情報を前記表示画面に一覧表示させる情報一覧表示手段と、
を備えたこと特徴とする情報処理装置。
【請求項２】
前記情報一覧表示手段は、前記表示画面の表示領域のうち一の領域に前記識別されたユーザに紐付けられたキーワードを一覧表示するとともに、前記表示画面の表示領域のうち少なくとも他の領域に前記一覧表示されたキーワードのうち該ユーザに選択されたキーワードに関連するものとして蓄積された情報を一覧表示することを特徴とする請求項１記載の情報処理装置。
【請求項３】
前記情報一覧表示手段は、ユーザが前記一覧表示された情報の一を指定する第２の操作を行うと、指定された情報を前記表示手段に表示させることを特徴とする、請求項１または２記載の情報処理装置。
【請求項４】
前記情報蓄積手段に蓄積される情報は、商品を注文するためのショッピング情報であることを特徴とする、請求項１ないし３記載の情報処理装置。
【請求項５】
ユーザに紐付けられたキーワードに関連する情報を蓄積し、属性情報を有するコンテンツと、前記ユーザに紐付けられたキーワードに関連する情報とを表示し、前記コンテンツを表示中に所定の操作を行うと、識別されたユーザに紐付けられたキーワードのうち表示されていた前記コンテンツの属性情報に最も合致するキーワードに関連するものとして蓄積された情報を表示画面に一覧表示させること特徴とする情報処理方法。
【請求項６】
情報蓄積手段、表示手段、ユーザ識別手段、及び情報一覧表示手段を有する情報処理装置のコンピュータに、
前記情報蓄積手段が、ユーザに紐付けられたキーワードに関連する情報を蓄積する手順、
前記表示手段が、属性情報を有するコンテンツと前記情報蓄積手段に蓄積された情報とを表示する手順、
前記ユーザ識別手段が、前記表示手段に対面するユーザを識別する手順、
前記情報一覧表示手段が、前記表示手段が前記コンテンツを表示中に所定の操作を行うと、識別されたユーザに紐付けられたキーワードのうち表示されていた前記コンテンツの属性情報に最も合致するキーワードに関連するものとして蓄積された情報を前記表示画面に一覧表示させる手順、
を実行させるためのプログラム。
【発明の詳細な説明】
【技術分野】
【０００１】
本発明は、情報処理装置、情報処理方法、及びプログラムに関する。
【背景技術】
【０００２】
テレビ番組の中で視聴者が関心を持ったシーンをＷｅｂ上に再表示し得る番組再表示方法及び再表示されたシーンの中の部分画像に係わる詳細情報とリンクしたテレビＷｅｂ情報サービスシステムがある（例えば、特許文献１参照）。
特許文献１に記載の発明は、テレビ番組を受信する工程と、受信したテレビ番組を放映する工程と、放映されている番組中でシーンを指定する工程と、シーンが指定された時点のシーン位置を保持する工程と、テレビ番組の終了を検知する工程と、テレビ番組の各シーンに対応した画像をサーバに記憶する工程と、番組終了操作後、テレビ番組のうち複数のシーンの画像を記憶したサーバに対し、シーン位置情報を送って対応するシーンを含む画像の送信要求を行う工程と、サーバから画像を受信する工程と、受信画像を表示する工程と、を含むものである。
【先行技術文献】
【特許文献】
【０００３】
【特許文献１】特開２００３−９０２３号公報
【発明の概要】
【発明が解決しようとする課題】
【０００４】
ところで、特許文献１に記載の発明は、部分画像に関連するリンク先サイトに接続してその部分画像に係わるＷｅｂページを閲覧したり、リンク先サイトが商取引を行う取引サイトの場合はショッピング等の取引を行ったりすることができる。
しかしながら、特許文献１に記載の技術では、ユーザの興味のあるシーンは保持するものの、ユーザが観たいのか、欲しいのか、食べたいのか、行きたいのか、ユーザ好みのジャンル、出演者、チーム等きめ細かく分類するものではないため、部分画像に係わるＷｅｂページの量が時間とともに膨大な量となり、ユーザがショッピングする際にはサムネイル全てを観なければならないという不便さが生じてくる。
【０００５】
そこで、本発明の目的は、ショッピングが容易な情報処理装置、情報処理方法、及びプログラムを提供することにある。
【課題を解決するための手段】
【０００６】
上記課題を解決するため、請求項１記載の発明は、ユーザに紐付けられたキーワードに関連する情報を蓄積する情報蓄積手段と、属性情報を有するコンテンツと前記情報蓄積手段に蓄積された情報とを表示可能な表示手段と、前記表示手段に対面するユーザを識別するユーザ識別手段と、前記表示手段が前記コンテンツを表示中に所定の操作を行うと、識別されたユーザに紐付けられたキーワードのうち表示されていた前記コンテンツの属性情報に最も合致するキーワードに関連するものとして蓄積された情報を前記表示画面に一覧表示させる情報一覧表示手段と、を備えたことを特徴とする。
【発明の効果】
【０００７】
本発明によれば、ユーザがショッピングしやすい情報処理装置、情報処理方法、及びプログラムの提供を実現できる。
【図面の簡単な説明】
【０００８】
【図１】本発明の一実施の形態に係る情報処理装置の正面図、リモコン、及びスマートホンの正面図の一例である。
【図２】図１に示した情報処理装置１００のハードウエア構成を示すブロック図である。
【図３】図１に示した情報処理装置１００のショッピングチャンネルを利用するための準備段階のソフトウエアの構成図の一例である。
【図４】図１に示した情報処理装置によるショッピングチャンネルを利用するための準備段階の動作を示すフローチャートの一例である。
【図５】ユーザがタグを貼る場合の説明図である。
【図６】図１に示した情報処理装置におけるショッピング情報の一覧表示を行うためのフローチャートの一例である。
【図７】図１に示した情報処理装置におけるショッピング情報の一覧表示を行うためのフローチャートの他の一例である。
【図８】ショッピングチャンネルのサイドメニュー１０２ｂを選択した場合のイメージを示す図である。
【図９】ユーザがコンテンツ（ドラマ）を視聴している時に表示されたアップルパイを購入する場合のイメージを示す図である。
【発明を実施するための形態】
【０００９】
本情報処理装置は、ユーザが興味を持った情報を予め調べておいて買い物しやすい形で表示するものである。
図１は、本発明の一実施の形態に係る情報処理装置の正面図、リモコン、及びスマートホンの正面図の一例である。
情報処理装置１００の表示部の画面１０３は、通常はメイン画面１０１と、サイドメニュー１０２とが表示される。画面１０３はメイン画面１０１を拡大表示する事も可能である。画面１０３はサイドメニュー１０２をデフォルトしてメイン画面１０１を拡大して後述するショッピング情報に関する画面を表示することも可能である。
サイドメニュー１０２は、パーソナルビューア（図ではPersonal Viewer）のサイドメニュー１０２ａ、ショッピングチャンネル（図ではShopping Channel）のサイドメニュー１０２ｂ、及びパーソナルチャンネル（図ではPersonal Channel）のサイドメニュー１０２ｃを有する。
パーソナルビューアは、ユーザが個人的に蓄積（録画）した放送番組のコンテンツやＷｅｂコンテンツを含むデジタルコンテンツを一覧表示するためのサイドメニューである。ショッピングチャンネルは、ユーザが視聴中のデジタルコンテンツに予めリモコン等の「いいね」ボタンを押すことによりタグが貼られた番組やシーンに関連する情報を検索し、蓄積したショッピング情報を一覧表示するためのサイドメニューである。パーソナルチャンネルは、ユーザが視聴したデジタルコンテンツを分析し、ユーザ好みの出演者、ジャンル等を学習し、デジタルコンテンツの推薦を行うためのサイドメニューである。
【００１０】
リモコン４０は、ボタンの配置は固定されているが、録画番組視聴等によく使うボタンが上側に配置されている。スマートホン４１にリモコン用のソフトウエアがインストールされている場合には、ユーザの行動パターンを学習し、ＴＰＯに応じて抽出されたボタンを配置するようになっている。
情報処理装置１００のオンオフ操作、チャンネル切り替え、音量調整、「いいね」ボタンのオン操作、サイドメニュー選択等の操作は、リモコン４０もしくはスマートホン４１により行うことができる。
【００１１】
〔ハードウエア〕
図２は、図１に示した情報処理装置１００のハードウエア構成を示すブロック図である。
図２に示す情報処理装置１００（例えば、テレビジョン受像器）は、受信部（チューナ）１１、ストリーム分離部（ＤＥＭＵＸ：demultiplexer：デマルチプレクサ）１２、映像デコード部１３、表示処理部（スケーラ）１４、表示部（モニタ）１５、パーソナルＤＢ（database）１６、サービス１７、ＧＰＳ（Global Positioning System：汎地球測位システム）１８、受信制御部１９、センサ２０、リモコン受信部２１、入力手段２２、カメラ２３、及びネットワーク接続部２４を有する。
【００１２】
受信部１１は、地上デジタル放送、ＢＳ（broadcasting satellite：放送衛星）放送、もしくはＣＳ（communication satellite：通信衛星）放送を受信し、受信したストリームをストリーム分離部１２に入力するチューナとして機能する回路である。受信部１１は、受信制御部１９の制御により受信するチャンネルを変更する機能を有する。
ストリーム分離部１２は、映像、音声、データ等の多重化されたストリームを分離するＤＥＭＵＸ処理を行う。ストリーム分離部１２は、分離されたストリームのうち映像に関するストリームを映像デコード部１３に入力する。その他のストリームについては本発明とは直接関係がないので説明を割愛する。
映像デコード部１３は、入力された映像に関するストリームをデコードして映像データとして後段の処理ブロックに入力する。ストリームについては限定しないが、例えば、ＭＰＥＧ(Moving Picture Experts Group)、Ｈ．２６４等の規格のものが挙げられる。
表示処理部１４は、表示部１５にストリーム画像やサイドメニューの表示可能な範囲や大きさを制御する。
表示部１５は、例えば、ＨＤＴＶ（high-definition television：高品位テレビ）を表示することのできるモニタであり、例えば液晶表示装置が挙げられる。
【００１３】
受信制御部１９は、受信部１１、表示処理部１４、パーソナルＤＢ１６、サービス１７、ＧＰＳ１８、センサ２０、リモコン受信部２１、入力手段２２、及びカメラ２３からのデータに基づいて各種処理を行う機能を有する回路であり、例えばマイクロプロセッサが挙げられる。受信制御部１９は、抽出手段１９ａ、絞り込み手段１９ｂ、収集手段１９ｃ、画像処理手段１９ｄ、検索手段１９ｅ、分析手段１９ｆ、情報蓄積手段１９ｇ、ユーザ識別手段１９ｈ、及び情報一覧表示手段１９ｉを有する。
受信制御部１９は、入力手段２２もしくは図には示されないリモコンから入力された電源オンオフ、番組切り替えの指示、音量調節等の指示に基づき電源オンオフ、チャンネル切り替え等の制御をする機能を有する。
【００１４】
抽出手段１９ａは、パーソナルＤＢ１６に蓄積したデータからキーワードを抽出する機能を有する。
絞り込み手段１９ｂは、キーワードを頻度でランキングすることで興味情報を絞り込む機能を有する。
収集手段１９ｃは、絞り込んだ興味情報に関連するコンテンツを収集する機能を有する。
画像処理手段１９ｄは、ユーザの過去のライフログをビジュアル表示、検索するための第一のサイドメニュー、及びショッピングサイトと連携し、ユーザの嗜好に応じた商品をネットショッピングするための第二のサイドメニュー、及びユーザの嗜好に応じて収集したコンテンツ毎にまとめたチャンネル用の第三のサイドメニューを、コンテンツを表示するメイン画面と共に表示部１５に表示させる機能を有する。
これらのサイドメニューの選択は、ユーザによるリモコン４０の操作で行われる。
検索手段１９ｅは、ユーザの興味情報に基づいてネットワーク接続部２４により接続されたネットワークのサイトからユーザの興味情報に関連するデータを検索する機能を有する。
分析手段１９ｆは、抽出したキーワードのジャンル、頻度等を分析する機能を有する。
情報蓄積手段１９ｇは、ユーザに紐付けられたキーワードに関連する情報を蓄積する機能を有する。
ユーザ識別手段１９ｈは、表示手段としての表示部１５に対面するユーザを識別する機能を有する。すなわち、ユーザ識別手段１９ｈは、カメラ２３で表示部１５の前面を常時撮影し、視聴している人物の数が単数の場合はその人物がユーザであると特定し、視聴している人物が複数の場合はリモコンを所持している人物をユーザであると認識する。
情報一覧表示手段１９ｉは、表示部１５がコンテンツを表示中に所定の操作を行うと、識別されたユーザに紐付けられたキーワードのうち表示されていたコンテンツの属性情報に最も合致するキーワードに関連するものとして蓄積された情報を表示画面に一覧表示させる機能を有する。また、情報一覧表示手段１９ｉは、表示画面の表示領域のうち一の領域に識別されたユーザに紐付けられたキーワードを一覧表示するとともに、表示画面の表示領域のうち少なくとも他の領域に一覧表示されたキーワードのうちユーザに選択されたキーワードに関連するものとして蓄積された情報を一覧表示する機能を有しても良い。さらに、情報一覧表示手段１９ｊは、ユーザが一覧表示された情報の一を指定する第２の操作を行うと、指定された情報を表示部１５に表示させるようにしてもよい。
なお、情報蓄積手段１９ｇに蓄積される情報は、商品を注文するためのショッピング情報であるのが好ましい。
これら抽出手段１９ａ、絞り込み手段１９ｂ、収集手段１９ｃ、画像処理手段１９ｄ、検索手段１９ｅ、分析手段１９ｆ、情報蓄積手段１９ｇ、ユーザ識別手段１９ｈ、及び情報一覧表示手段１９ｉは、ソフトウエアで構成される。
【００１５】
受信制御部１９にて行われるコンテンツの分類は、取得したコンテンツデータの一部を表示するサムネイルを生成し、興味情報の各々に付与された属性毎にまとめ、同一属性を有する情報に対する処理の基礎となった指示の履歴に基づいて、ユーザにとって優先度が高いか否かで判断する。
また、優先度が高いとは、ユーザの視聴する番組のジャンル、出演者、もしくは団体毎に視聴回数、及び視聴時間を測定し、視聴回数、及び視聴時間の多い番組を興味度が高いとする。
【００１６】
パーソナルＤＢ１６は、ユーザ毎にファイルに分けて興味情報を記憶する。
サービス１７は、情報処理装置１００がネットワーク接続部２４によりネットワーク接続されている場合に、得られた情報を記憶する装置である。
ＧＰＳ１８は、情報処理装置１００の現在位置に関する情報を探索する装置である。
センサ２０は、情報処理装置１００の前面のリモコン使用可能領域に人がいるか否か、距離はどのくらいかを判断する。
リモコン受信部２１は、図には示されていないリモコンとの間でチャンネル切り替えや音量調節等の制御信号や応答信号を授受する。
入力手段２２は、例えば、電源ボタン、チャンネル切り替えボタン、音量ボタン、もしくは入力切換ボタンである。
カメラ２３は、情報処理装置１００の前面で図には示されていないリモコンを操作するユーザを認識するため撮影し、電気信号に変換する機能を有する。これは、ユーザが複数存在する場合にユーザ毎に顔を認識し、興味情報を紐づけるのに利用される。尚、カメラ２３は、図では表示部１５を支持する支柱に設けられているが、本発明はこれに限定されるものではなく、表示部１５の外周部に設けても良い。
ネットワーク接続部２４は、図示しないネットワークと無線もしくは有線を用いて接続する機能を有する。
【００１７】
＜動  作＞
〔準備段階〕
図３は、図１に示した情報処理装置１００のショッピングチャンネルを利用するための準備段階のソフトウエアの構成図の一例である。
ユーザの行動３１やユーザの状態３２がＴＰＯ（time position occasion：時、所、場合）に応じて分析し、パーソナルＤＢ（データベース）１６に記憶される。パーソナルＤＢ１６には例えばＨＤＤ（ハードディスクドライブ）が用いられる。
ＴＰＯは、ユーザが誰であるかに加え、ユーザの行動３１及びユーザの状態３２を含む。ユーザの行動３１としては、例えば、ＴＶ／録画コンテンツ、ＳＮＳ／Ｔｗｉｔｔｅｒ（ツイッター「以下、登録商標」）、メール／ブラウザ、検索、スケジューラ、及びショッピング等が挙げられる。
ＴＶ／録画コンテンツは、放送時間、チャンネル、番組名、ジャンル、出演者名、録画時間、及び録画モード等を意味する。
ＳＮＳは、ソーシャルネットワーキングサービスの略語であり、人と人とのつながりを促進・サポートするＷｅｂサイトである。友人・知人間のコミュニケーションを円滑にする手段や場を提供したり、趣味や嗜好、居住地域、出身校等を通じて新たな人間関係を提供したりする、会員制のサービスである。Ｔｗｉｔｔｅｒは、１４０文字以内の「ツイート」と称される短文を投稿できる情報サービスで、ツイッター社によって提供されている。
ＳＮＳやＴｗｉｔｔｅｒで話題からキーワードを分析することでユーザの興味情報を得ることができる。
メールは、ユーザが他社との間で情報を授受するものであり、メールを分析すればユーザの興味情報を得ることができる。
ブラウザは、インターネット上の情報を探し出し表示するためのソフトウエアであり、例えば、ネットスケープ・ナビゲータやインターネット・エクスプローラーが挙げられる。ブラウザをユーザが利用するときのキーワードを分析すれば興味情報が得られる。
検索は、キーワードを使ってユーザが知りたい情報を得るので、キーワードからユーザの興味情報が得られる。
スケジューラは、個人のスケジュールを管理するソフトウエアであり、スケジュールのキーワードからユーザの興味情報を得ることができる。
ショッピングは、ユーザがいつ、どのような商品を、いくつ購入したか履歴に残るので、ユーザの興味情報を得ることができる。
【００１８】
一方、ユーザの状態３２としては、位置、移動検知手段、表情（集中度）、及び感情状態が挙げられる。
位置は、ユーザが情報処理装置１００を使用しているときの位置であり、情報処理装置１００のＧＰＳ１８よりユーザが情報処理装置１００を利用しているときの位置情報を把握することができる。
移動検知手段は、例えば、ユーザが電車で移動している状態か、自動車で移動している状態か、もしくは徒歩で移動している状態かを把握する手段であり、例えば加速度センサや振動センサ等のセンサが挙げられる。この移動検知手段はユーザがスマートホンをリモコンとして利用する場合に用いられる。
表情（集中度）は、ユーザの表情が硬いか柔らかい、もしくはユーザが画面の特定箇所を凝視しているか、退屈しているか、居眠りしているか等を画像認識処理により判断するものである。
感情状態は、ユーザが喜怒哀楽、無表情（真顔）のいずれを示しているか等を画像認識処理により判断するものである。
【００１９】
パーソナルＤＢ１６に記憶されたデータは、必要に応じてリコメンドエンジン３４に送られる。リコメンドエンジン３４はユーザに必要と判断されるデータを提供するためのソフトウエアであり、サービス１７に接続されている。リコメンドエンジン３４はサービス１７との間で、サーチクエリーとサーチリザルトとを行う。
リコメンドエンジン３４は重要キーワードを抽出する重要キーワード抽出部３５と、ユーザランキングによる絞り込みを行う絞り込み部３６とを有する。重要キーワードは、ユーザ毎に異なる興味や関心の高いキーワードであり、頻出度の高い固有名詞（例えば、人名、キャラクタ名、曲名、番組名、国名、都市名、地名、競技名、ゲーム名等）が挙げられる。重要キーワードにはタグが貼られた番組やシーンに関連するキーワードを含む。ユーザランキングは、統計数学的処理を施してユーザ毎に抽出されたキーワードを頻度順にランク付けをしたものである。絞り込みとは、ランク付けされたキーワードを上位から所定の順位まで選択して絞り込んだものをすぐに提供できるように確保しておくことである。
【００２０】
リコメンドエンジン３４からの出力される情報の中からショッピング情報を抽出するショッピング情報抽出部３７により抽出される。情報処理装置１００はショッピング情報をユーザからの要求があった場合に一覧表示する一覧表示部３８を有する。一覧表示部３８により分類、整理した状態で表示される。
【００２１】
図４は、図１に示した情報処理装置によるショッピングチャンネルを利用するための準備段階の動作を示すフローチャートの一例である。
まず、ＴＰＯの判定が開始されると、情報抽出エンジンが作動し（ステップＳ１）、パーソナルＤＢとの間で情報の授受が行われる（ステップＳ５）。
次に検索エンジンが作動し（ステップＳ２）、サービスとの間でサーチクエリーとサーチリザルトとが行われ、タグの貼られたシーンや番組等に関連する情報を検索する（ステップＳ６）。
マッチングエンジンが作動し（ステップＳ３）、重要キーワードを用いてショッピングに関連するショッピング情報を抽出し（ステップＳ４）、一覧表示できるように分類整理し、準備する（ステップＳ５）。
【００２２】
ここで、タグについて図を参照して説明する。
図５は、ユーザがタグを貼る場合の説明図である。
ユーザが情報処理装置１００でデジタルコンテンツを視聴中に、出演者が被っている破線円内に示す帽子について、この帽子「欲しい」と、思った場合、ユーザがスマートホン４１のいいねボタン４１ａを押すと、スマートホン４１の画面４１ｂに情報処理装置１００のメイン画面１０１と同じ画像が表示され、画面４１ｂ内にＷａｎｔｓボタン４１ｃが表示される。ユーザが画面４１ｂの帽子を指先で囲むと（チェックすると）、軌跡が表示され、Ｗａｎｔｓボタン４１ｃが拡大表示される。Ｗａｎｔｓボタン４１ｃの「欲しい」をチェックすると、番組の１シーンにタグが貼られてパーソナルＤＢ１６（図２参照）に記録される。「欲しい」のチェック後は画面４１ｂから軌跡が消え、所定時間経過後に画面４１ｂは元のリモコン画面に戻る。尚、デジタルコンテンツが生放送の場合、視聴中はタイミングを逃すとチェックできないことがあるが、デジタルコンテンツとしての録画番組を視聴中は一時停止するのが好ましいのは言うまでもない。
【００２３】
［一覧表示１］
図６は、図１に示した情報処理装置におけるショッピング情報の一覧表示を行うためのフローチャートの一例である。
タグが貼られたデジタルコンテンツを蓄積する（ステップＳ１）。
タグが貼られたデジタルコンテンツに関する情報を検索する（ステップＳ２）。
検索して得られた情報をパーソナルＤＢ１６に蓄積する（ステップＳ３）。
蓄積した情報からショッピングに関するショッピング情報を抽出する（ステップＳ４）。
サイドメニュー１０２ｂを介してショッピングチャンネルの視聴の要求があったか否かを判断する（ステップＳ５）。要求が無い場合には待機し（ステップＳ５／Ｎ）、要求があった場合（ステップＳ５／Ｙ）、メイン画面１０１（図１参照）にショッピング情報を一覧表示して終了する（ステップＳ６）。
【００２４】
図７は、図１に示した情報処理装置におけるショッピング情報の一覧表示を行うためのフローチャートの他の一例である。
図７に示したフローチャートの図６に示したフローチャートとの相違点は、ショッピング情報の選択履歴、表示履歴を表示する点である。
すなわち、タグが貼られたデジタルコンテンツを蓄積する（ステップＳ１１）。
タグが貼られたデジタルコンテンツに関する情報を検索する（ステップＳ１２）。
検索して得られた情報をパーソナルＤＢ１６に蓄積する（ステップＳ１３）。
蓄積した情報からショッピングに関するショッピング情報を抽出する（ステップＳ１４）。
サイドメニュー１０２ｂを介してショッピングチャンネルの視聴の要求があったか否かを判断する（ステップＳ１５）。要求が無い場合には待機し（ステップＳ１５／Ｎ）、要求があった場合（ステップＳ１５／Ｙ）、メイン画面１０１（図１参照）にショッピング情報を一覧表示する（ステップＳ１６）。
一覧表示から何か選択されたか否か判断する（ステップＳ１７）。
一覧表示から何か選択された場合（ステップＳ１７／Ｙ）、選択されたショッピング情報の履歴を表示し（ステップＳ１８）、何も選択されなかった場合（ステップＳ１７／Ｎ）、終了する。
【実施例１】
【００２５】
＜ユーザがドレスを購入する場合＞
図８は、ショッピングチャンネルのサイドメニュー１０２ｂを選択した場合のイメージを示す図であり、情報処理装置に比較して拡大されたメイン画面１０１０が示されている。
図８において、左下に情報処理装置１００が示されており、サイドメニュー１０２ｂを選択すると、情報処理装置１００のメイン画面１０１がショッピングチャンネルの画面１０１０に切り替わる。画面１０１０にはパーティーＳＨＯＰのＷｅｂサイトのウィンドウ１１０−１、○井 理ＳＨＯＰのＷｅｂサイトのウィンドウ１１０−２、ミニカーＳＨＯＰのウィンドウ１１０−３、…が重畳表示される。
このように、メイン画面１０１にはユーザの嗜好や予定（パーティー）に合わせてネット上の商品を表示し、その場でショッピング（購入まで）が楽しめる。メイン画面１０１にはＴＰＯに応じたリコメンドとして、ユーザの嗜好を踏まえた関連商品やサービス情報を合わせて表示される。
また、ユーザがインターネット上の仮想店舗を覗いたときに、ユーザ専用の店舗として、ユーザの欲しい物や必要な物が並んでいる場合、そのまま購入までサポートが可能である。
例えば、ユーザの予定表に友人の結婚式が２週間後に迫っており、着ていくドレスを購入する場合であって、ユーザの嗜好として、色が青系・黒系・ピンク系で、サイズ／デザインが９号／Ａラインで、予算が１万円前後であり、パーソナルＤＢ１６（図２参照）に記録されている情報として、自宅のクローゼットには黒のドレスが２着あり、ピンクのドレスが１着あり、アクセサリーとしては青花の髪飾りがあり、バック／靴は黒色の場合、２週間後の結婚式用のドレス・アクセサリーがメイン画面１０１に表示される。ユーザはドレスとして黒系とピンク系を所有しているので、青系のドレスを販売しているパーティーＳＨＯＰ１１０−１をリコメンドする。
【実施例２】
【００２６】
＜ユーザがアップルパイを購入する場合＞
図９は、ユーザがコンテンツ（ドラマ）を視聴している時に表示されたアップルパイを購入する場合のイメージを示す図である。
ユーザが情報処理装置１００のメイン画面１０１で視聴しているコンテンツに毎週アップルパイが登場している時に、ユーザが「毎週アップルパイを見ていると食べたくなるなぁ」と思った場合、ユーザがショッピングチャンネルのサイドメニュー１０２ｂを選択すると、情報処理装置１００のメイン画面１０１のコンテンツが画面１０１１に切り替わる。画面１０１１には情報処理装置１００が予め検索し、蓄積したＷｅｂサイト１１１−１〜１１１−６が表示される。この場合メイン画面１０１で視聴中のコンテンツに関連するサイトが表示される。コンテンツのシーンは某パテスリーの厨房であり、テーブルの上にアップルパイが配置されている状態である。このため、切り替わった後のメイン画面１０１１の上位にアップルパイ販売のＷｅｂサイト１１１−１が表示される。他のＷｅｂサイト１１１−２〜１１１−６は、コンテンツの主題曲に関連する歌手の写真集、ＣＤ販売のＷｅｂサイトである。これらのＷｅｂサイト１１１−１〜１１１−６は提携―サービス１１２と提携している。このため、ユーザはスマートホン４１のリモコン操作により即座にアップルパイを注文することができる。
【００２７】
＜プログラム＞
以上で説明した本発明に係る情報処理装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明の機能を実現する場合の説明を以下で行う。
【００２８】
例えば、
情報蓄積手段、表示手段、ユーザ識別手段、及び情報一覧表示手段を有する情報処理装置のコンピュータに、
情報蓄積手段が、ユーザに紐付けられたキーワードに関連する情報を蓄積する手順、
表示手段が、属性情報を有するコンテンツと情報蓄積手段に蓄積された情報とを表示する手順、
ユーザ識別手段が、表示手段に対面するユーザを識別する手順、
情報一覧表示手段が、表示手段が前記コンテンツを表示中に所定の操作を行うと、識別されたユーザに紐付けられたキーワードのうち表示されていたコンテンツの属性情報に最も合致するキーワードに関連するものとして蓄積された情報を表示画面に一覧表示させる手順、
を実行させるためのプログラムが挙げられる。
【００２９】
これにより、プログラムが実行可能なコンピュータ環境さえあれば、どこにおいても本発明にかかる情報処理装置を実現することができる。
このようなプログラムは、コンピュータに読み取り可能な記憶媒体に記憶されていてもよい。
【００３０】
＜記憶媒体＞
ここで、記憶媒体としては、例えばＣＤ−ＲＯＭ、フレキシブルディスク（ＦＤ）、ＣＤ−Ｒ等のコンピュータで読み取り可能な記憶媒体、フラッシュメモリ、ＲＡＭ、ＲＯＭ、ＦｅＲＡＭ等の半導体メモリやＨＤＤが挙げられる。
【００３１】
ＣＤ−ＲＯＭは、Compact Disc Read Only Memoryの略である。フレキシブルディスクは、Flexible Disk：ＦＤを意味する。ＣＤ−Ｒは、CD Recordableの略である。ＲＡＭは、Random-Access Memoryの略である。ＲＯＭは、Read-Only Memoryの略である。ＦｅＲＡＭは、Ferroelectric RAMの略で、強誘電体メモリを意味する。ＨＤＤは、Hard Disc Driveの略である。
【００３２】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００３３】
１１    受信部（チューナ）
１２    ストリーム分離部（ＤＥＭＵＸ）
１３    映像デコード部
１４    表示処理部（スケーラ）
１５    表示部（モニタ）
１６    パーソナルＤＢ
１７    サービス
１８    ＧＰＳ（汎地球測位システム）
１９    受信制御部
１９ａ    抽出手段
１９ｂ    絞り込み手段
１９ｃ    収集手段
１９ｄ    画像処理手段
１９ｅ    検索手段
１９ｆ    分析手段
１９ｇ    情報蓄積手段
１９ｈ    ユーザ識別手段
１９ｉ    情報一覧表示手段
２０    センサ
２１    リモコン受信部
２２    入力手段
２３    カメラ
２４    ネットワーク接続部
３５    重要キーワード抽出部
３６    絞り込み部
３７    ショッピング情報抽出部
４０    リモコン
４１    スマートホン
１００    情報処理装置（テレビジョン受像器）
１０１    メイン画面
１０２    サイドメニュー
１０３    画面
【図１】
2015154247.tif 000003
【図２】
2015154247.tif 000004
【図３】
2015154247.tif 000005
【図４】
2015154247.tif 000006
【図５】
2015154247.tif 000007
【図６】
2015154247.tif 000008
【図７】
2015154247.tif 000009
【図８】
2015154247.tif 000010
【図９】
2015154247.tif 000011